(57)【要約】【課題】仕切りと仕切りの外側の箱体（特に、筒状部分）を同時に製造することができ、該仕切りを１つのブランクで製造することができるとともに、該箱体（特に、筒状部分）を１つのブランクで形成することができる仕切りを有する組立体の製造方法を提供する。【解決手段】外側構成部１０の上に仕切り部６０を重ねてホットメルト糊塗布領域Ｍ１、Ｍ２を介して接着し、その後、接着剤塗布領域Ｎ２に接着剤を塗布し、折れ線Ｃ４、Ｃ９に沿って折り畳むことにより前側背面部６８ａと後側背面部６８ｂとを接着させ、その後、接着剤塗布領域Ｍ３、Ｎ１、Ｎ３に接着剤を塗布し、折れ線Ｃ２、Ｃ６に沿って折り畳んで折り畳むことにより前側正面部６２ａと後側正面部６２ｂとを接着させ、右側仕切り本体部構成部６４ａ、６４ｂを接着させ、糊代部３０と背面部２８とを接着させる。【選択図】図８
2010247431.tif 000002
【特許請求の範囲】
【請求項１】
４つの板状部により筒状に形成された外側構成部と、外側構成部の内側に設けられ、２つの互いに略平行な仕切りを有する仕切り部とを有する組立体の製造方法であって、
１枚のシート状のブランクにより形成された外側構成部で、
外側構成部用糊代部と、
外側構成部用糊代部の辺部である第１折れ線から連設された外側構成部用第１板状部と、
外側構成部用第１板状部の外側構成部用糊代部とは反対側で第１折れ線と平行な辺部である第２折れ線から連設された外側構成部用第２板状部と、
外側構成部用第２板状部の外側構成部用第１板状部とは反対側で第２折れ線と平行な辺部である第３折れ線から連設された外側構成部用第３板状部と、
外側構成部用第３板状部の外側構成部用第２板状部とは反対側で第３折れ線と平行な辺部である第４折れ線から連設された外側構成部用第４板状部とを有し、
外側構成部用糊代部と外側構成部用第１板状部と外側構成部用第２板状部と外側構成部用第３板状部と外側構成部用第４板状部の並び方向が左右方向とした場合に、第１折れ線と第２折れ線間の左右方向の長さである第１長さと第３折れ線と第４折れ線間の左右方向の長さである第３長さとが略同一で、第２折れ線と第３折れ線間の左右方向の長さである第２長さと第４折れ線外側構成用第４板状部の第４折れ線とは反対側の端部間の長さである第４長さが略同一である外側構成部における組立体とした場合に内側となる面に、
１枚のシート状のブランクにより形成された仕切り部で、第１仕切り本体部の一部を構成する第１仕切り本体部用第１構成部と、第１仕切り本体部構成部の辺部である第５折れ線から連設された第１内側板状部と、第１内側板状部の第１仕切り本体部構成部とは反対側で第５折れ線と平行な辺部である第６折れ線から連設された第１外側板状部と、第１外側板状部の第１内側板状部とは反対側で第６折れ線と平行な辺部である第７折れ線から連設された第２仕切り本体部と、第２仕切り本体部の第１外側板状部とは反対側で第７折れ線と平行な辺部である第８折れ線から連設された第２内側板状部と、第２内側板状部の第２仕切り本体部とは反対側で第８折れ線と平行な辺部である第９折れ線から連設された第２外側板状部と、第２外側板状部の第２内側板状部とは反対側で第９折れ線と平行な辺部である第１０折れ線から連設され、第１仕切り本体部の一部を構成する第１仕切り本体部用第２構成部と、を有し、第１仕切り本体部用第１構成部と第１内側板状部と第１外側板状部と第２仕切り本体部と第２内側板状部と第２外側板状部と第１仕切り本体部用第２構成部の並び方向が左右方向とした場合に、第６折れ線と第７折れ線間の左右方向の長さである第７長さが、上記第２長さよりも短く形成され、第５折れ線と第６折れ線間の左右方向の長さである第６長さが、第７長さよりも短く形成され、第７折れ線と第８折れ線間の左右方向の長さである第８長さが、上記第３長さと略同一に形成され、第９折れ線と第１０折れ線間の左右方向の長さである第１０長さが、上記第４長さよりも短く形成され、第８折れ線と第９折れ線間の左右方向の長さである第９長さが、第１０長さよりも短く形成され、第５折れ線と第１仕切り本体部用第１構成部における第５折れ線とは反対側の端部間の左右方向の長さである第５長さと、第１０折れ線と第１仕切り本体部用第２構成部における第１０折れ線とは反対側の端部間の左右方向の長さである第１１長さとの和が、第８長さよりも大きく、第５長さと第６長さとの和が、第１長さ以下であり、第１０長さと第１１長さとの和が第４長さよりも大きく、上記第２長さと上記第３長さの和が、第７長さと第８長さと第９長さの和とが略同一である仕切り部を、第６折れ線と第２折れ線とが一致し、第９折れ線と第４折れ線が一致するように配置して、外側構成部用第２板状部と第１外側板状部とを接着するとともに、第４板状部と第２外側板状部とを接着する接着工程と、
第２内側板状部の少なくとも一部の領域又は第２外側板状部の第２内側板状部と接着する領域である第１接着剤塗布領域に接着剤を塗布する第１接着剤塗布工程と、
外側構成部において第４折れ線を中心に外側構成部用第４板状部を回動して畳むとともに、仕切り部において第９折れ線を中心に第２外側板状部と第１仕切り本体部用第２構成部とを回動して畳むことにより、第２内側板状部と第２外側板状部とを接着する第２接着工程と、
第１内側板状部の少なくとも一部の領域又は第１外側板状部の第１内側板状部と接着する領域である第２接着剤塗布領域に接着剤を塗布し、第１仕切り本体部用第２構成部における外側構成部用第４板状部の外側構成部用第３板状部側の辺部とは反対側の辺部から突出した部分の少なくとも一部の領域又は第１仕切り本体部用第１構成部における第１内側板状部とは反対側の端部領域である第３接着剤塗布領域に接着剤を塗布し、外側構成部用糊代部の少なくとも一部の領域又は外側構成部用第４板状部における外側構成部用糊代部が接着する領域第４接着剤塗布領域に接着剤を塗布する第２接着剤塗布工程と、
外側構成部において第２折れ線を中心に外側構成部用糊代部と外側構成部用第１板状部とを回動して畳むとともに、仕切り部において第６折れ線を中心に第１仕切り本体部用第１構成部と第１内側板状部とを回動して畳むことにより、第２接着剤塗布領域に塗布された接着剤により第１内側板状部と第１外側板状部とを接着し、第３接着剤塗布領域に塗布された接着剤により第１仕切り本体部用第１構成部と第１仕切り本体部用第１構成部とを接着し、第４接着剤塗布領域に塗布された接着剤により外側構成部用糊代部を外側構成部用第４板状部に接着する第３接着工程と、
を有し、
第１仕切り本体部用第１構成部と第１仕切り本体部用第２構成部とで構成される第１仕切り本体部と、第２仕切り本体部とで２つの仕切りが構成されることを特徴とする組立体の製造方法。
【請求項２】
上記外側構成部における外側構成部用第１板状部と外側構成部用第２板状部と外側構成部用第３板状部と外側構成部用第４板状部のそれぞれの端部から折れ線を介して片部が連設され、該片部が、外側構成部を筒状に組み立てて組立体を組み立てる際に、該片部を組み立てることにより外側構成部の一方の端部をカバーするカバー部を形成することを特徴とする請求項１に記載の組立体の製造方法。
【発明の詳細な説明】
【技術分野】
【０００１】
本発明は、紙材（特に、段ボール材）により組み立てられ、内部に仕切りを有する組立体に関するものである。
【背景技術】
【０００２】
従来、箱体の内部に収納する仕切りを製造する方法として、特許文献１や特許文献２に示すものが知られている。特許文献１は、折り畳み式厚紙ボックスの仕切りの製造方法に関するものであり、また、特許文献２は、仕切体の製造方法に関するものであり、仕切体の外周壁部の一部と内部壁部の一部とからなる同形のセグメントを２個用意し、該セグメントの外周壁部と内部壁部とを渦巻状に同一方向に折曲線に沿って折曲げ形成したものを点対称的に組合せ箱型となし、次で内部壁部に設けた切欠き部内に一体の中央分離体を挿入して仕切体を形成するものである。
【先行技術文献】
【特許文献】
【０００３】
【特許文献１】特開平８−４０４３１号公報
【特許文献２】特開平７−２３２７０８号公報
【発明の概要】
【発明が解決しようとする課題】
【０００４】
しかし、上記特許文献１や特許文献２においては、仕切り自体を製造するものであり、製造された仕切りは、別体の箱体内に収納して使用するものであり、仕切りと仕切りの外側の箱体とを同時に製造することはできず、仕切りの製造工程と、外側の箱体の製造工程を別々に設ける必要がある。
【０００５】
また、上記特許文献１や特許文献２においては、仕切り自体が複数のブランクにより形成されているので、該複数のブランクをそれぞれ製造する手間を要する。
【０００６】
また、製造された仕切りの外側の部材を箱体とみなした場合でも、箱体は複数のブランクで製造されることになり、１つのブランクでは製造されず、箱体としての見栄えや強度は十分ではない。つまり、仕切りの外側は略筒状に形成されるのであるが、その筒状部分は１つのブランクで形成することはできない。
【０００７】
そこで、仕切りと仕切りの外側の箱体（特に、筒状部分）を同時に製造することができ、該仕切りを１つのブランクで製造することができるとともに、該箱体（特に、筒状部分）を１つのブランクで形成することができる仕切りを有する組立体の製造方法を提供することを目的とするものである。
【課題を解決するための手段】
【０００８】
本発明は上記問題点を解決するために創作されたものであって、第１には、４つの板状部により筒状に形成された外側構成部と、外側構成部の内側に設けられ、２つの互いに略平行な仕切りを有する仕切り部とを有する組立体の製造方法であって、１枚のシート状のブランクにより形成された外側構成部で、外側構成部用糊代部と、外側構成部用糊代部の辺部である第１折れ線から連設された外側構成部用第１板状部と、外側構成部用第１板状部の外側構成部用糊代部とは反対側で第１折れ線と平行な辺部である第２折れ線から連設された外側構成部用第２板状部と、外側構成部用第２板状部の外側構成部用第１板状部とは反対側で第２折れ線と平行な辺部である第３折れ線から連設された外側構成部用第３板状部と、外側構成部用第３板状部の外側構成部用第２板状部とは反対側で第３折れ線と平行な辺部である第４折れ線から連設された外側構成部用第４板状部とを有し、外側構成部用糊代部と外側構成部用第１板状部と外側構成部用第２板状部と外側構成部用第３板状部と外側構成部用第４板状部の並び方向が左右方向とした場合に、第１折れ線と第２折れ線間の左右方向の長さである第１長さと第３折れ線と第４折れ線間の左右方向の長さである第３長さとが略同一で、第２折れ線と第３折れ線間の左右方向の長さである第２長さと第４折れ線外側構成用第４板状部の第４折れ線とは反対側の端部間の長さである第４長さが略同一である外側構成部における組立体とした場合に内側となる面に、１枚のシート状のブランクにより形成された仕切り部で、第１仕切り本体部の一部を構成する第１仕切り本体部用第１構成部と、第１仕切り本体部構成部の辺部である第５折れ線から連設された第１内側板状部と、第１内側板状部の第１仕切り本体部構成部とは反対側で第５折れ線と平行な辺部である第６折れ線から連設された第１外側板状部と、第１外側板状部の第１内側板状部とは反対側で第６折れ線と平行な辺部である第７折れ線から連設された第２仕切り本体部と、第２仕切り本体部の第１外側板状部とは反対側で第７折れ線と平行な辺部である第８折れ線から連設された第２内側板状部と、第２内側板状部の第２仕切り本体部とは反対側で第８折れ線と平行な辺部である第９折れ線から連設された第２外側板状部と、第２外側板状部の第２内側板状部とは反対側で第９折れ線と平行な辺部である第１０折れ線から連設され、第１仕切り本体部の一部を構成する第１仕切り本体部用第２構成部と、を有し、第１仕切り本体部用第１構成部と第１内側板状部と第１外側板状部と第２仕切り本体部と第２内側板状部と第２外側板状部と第１仕切り本体部用第２構成部の並び方向が左右方向とした場合に、第６折れ線と第７折れ線間の左右方向の長さである第７長さが、上記第２長さよりも短く形成され、第５折れ線と第６折れ線間の左右方向の長さである第６長さが、第７長さよりも短く形成され、第７折れ線と第８折れ線間の左右方向の長さである第８長さが、上記第３長さと略同一に形成され、第９折れ線と第１０折れ線間の左右方向の長さである第１０長さが、上記第４長さよりも短く形成され、第８折れ線と第９折れ線間の左右方向の長さである第９長さが、第１０長さよりも短く形成され、第５折れ線と第１仕切り本体部用第１構成部における第５折れ線とは反対側の端部間の左右方向の長さである第５長さと、第１０折れ線と第１仕切り本体部用第２構成部における第１０折れ線とは反対側の端部間の左右方向の長さである第１１長さとの和が、第８長さよりも大きく、第５長さと第６長さとの和が、第１長さ以下であり、第１０長さと第１１長さとの和が第４長さよりも大きく、上記第２長さと上記第３長さの和が、第７長さと第８長さと第９長さの和とが略同一である仕切り部を、第６折れ線と第２折れ線とが一致し、第９折れ線と第４折れ線が一致するように配置して、外側構成部用第２板状部と第１外側板状部とを接着するとともに、外側構成部用第４板状部と第２外側板状部とを接着する接着工程と、第２内側板状部の少なくとも一部の領域又は第２外側板状部の第２内側板状部と接着する領域である第１接着剤塗布領域に接着剤を塗布する第１接着剤塗布工程と、外側構成部において第４折れ線を中心に外側構成部用第４板状部を回動して畳むとともに、仕切り部において第９折れ線を中心に第２外側板状部と第１仕切り本体部用第２構成部とを回動して畳むことにより、第２内側板状部と第２外側板状部とを接着する第２接着工程と、第１内側板状部の少なくとも一部の領域又は第１外側板状部の第１内側板状部と接着する領域である第２接着剤塗布領域に接着剤を塗布し、第１仕切り本体部用第２構成部における外側構成部用第４板状部の外側構成部用第３板状部側の辺部とは反対側の辺部から突出した部分の少なくとも一部の領域又は第１仕切り本体部用第１構成部における第１内側板状部とは反対側の端部領域である第３接着剤塗布領域に接着剤を塗布し、外側構成部用糊代部の少なくとも一部の領域又は外側構成部用第４板状部における外側構成部用糊代部が接着する領域第４接着剤塗布領域に接着剤を塗布する第２接着剤塗布工程と、外側構成部において第２折れ線を中心に外側構成部用糊代部と外側構成部用第１板状部とを回動して畳むとともに、仕切り部において第６折れ線を中心に第１仕切り本体部用第１構成部と第１内側板状部とを回動して畳むことにより、第２接着剤塗布領域に塗布された接着剤により第１内側板状部と第１外側板状部とを接着し、第３接着剤塗布領域に塗布された接着剤により第１仕切り本体部用第１構成部と第１仕切り本体部用第１構成部とを接着し、第４接着剤塗布領域に塗布された接着剤により外側構成部用糊代部を外側構成部用第４板状部に接着する第３接着工程と、を有し、第１仕切り本体部用第１構成部と第１仕切り本体部用第２構成部とで構成される第１仕切り本体部と、第２仕切り本体部とで２つの仕切りが構成されることを特徴とする。
【０００９】
上記第１の構成の組立体の製造方法においては、第２長さと上記第３長さの和が、第７長さと第８長さと第９長さの和とが略同一であるので、第２接着工程において、外側構成部を第４折れ線を中心に折り畳むとともに仕切り部を第９折れ線を中心に折り畳むことができ、また、第１外側板状部が第６折れ線が第２折れ線に隣接した状態で外側構成部の外側構成部用第２板状部の内側の面に接着され、第２外側板状部が第９折れ線が第４折れ線に隣接した状態で外側構成部の外側構成部用第４板状部の内側の面に接着されるようにすることができる。また、第５長さと第６長さとの和が、第１長さ以下であるので、外側構成部用糊代部へ接着剤を塗布する際に第１仕切り本体部用第１構成部が邪魔になることがなく、外側構成部用糊代部と外側構成部用第４板状部との接着に支障となることがない。また、第１０長さと第１１長さとの和が第４長さよりも大きいので、第１接着剤塗布工程の後で第１仕切り本体部用第２構成部の先端に接着剤を塗布することができ、第１仕切り本体部用第１構成部と第１仕切り本体部用第２構成部の接着に支障となることがない。また、第２長さと上記第３長さの和が、第７長さと第８長さと第９長さの和とが略同一であるので、第３接着工程において、外側構成部を第２折れ線を中心に折り畳むとともに仕切り部を第６折れ線を中心に折り畳むことができ、また、第１０折れ線と第１仕切り本体部用第２構成部における第１０折れ線とは反対側の端部間の左右方向の長さである第１１長さとの和が、第８長さよりも大きいので、第３接着剤塗布領域に接着剤を塗布した後に第１仕切り本体部用第２構成部を折り返して畳むことにより、第１仕切り本体部用第１構成部と第１仕切り本体部用第２構成部とを連結させることができる。また、第１外側板状部の左右方向の長さが、外側構成部用第２板状部の左右方向の幅よりも短く形成され、第１内側板状部の左右方向の長さが、第１外側板状部の左右方向の長さよりも短く形成され、第２外側板状部の左右方向の長さが、外側構成部用第４板状部の左右方向の幅よりも短く形成され、第２内側板状部の左右方向の長さが、第２外側板状部の左右方向の長さよりも短く形成されているので、２つの略平行な仕切りを形成することができる。
【００１０】
以上のように、外側構成部と仕切り部とを同時に製造することができ、外側構成部の製造工程と仕切り部の製造工程とを別々に設ける必要がない。特に、外側構成部と仕切り部とをともに展開状態にして貼り合わせた後に、所定の接着剤塗布領域に接着剤を塗布して所定の片部を折り返すことにより製造することができ、極めて容易に製造することができる。また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。
【００１１】
また、第２には、上記第１の構成において、上記外側構成部における外側構成部用第１板状部と外側構成部用第２板状部と外側構成部用第３板状部と外側構成部用第４板状部のそれぞれの端部から折れ線を介して片部が連設され、該片部が、外側構成部を筒状に組み立てて組立体を組み立てる際に、該片部を組み立てることにより外側構成部の一方の端部をカバーするカバー部を形成することを特徴とする。これにより、カバー部を底面部や背面部として利用することができる。
【００１２】
なお、以下の構成としてもよい。すなわち、第３には、「４つの板状部により筒状に形成された外側構成部と、外側構成部の内側に設けられ、２つの互いに略平行な仕切りを有する仕切り部とを有する組立体であって、１枚のシート状のブランクにより形成された外側構成部で、外側構成部用糊代部と、外側構成部用糊代部の辺部である第１折れ線から連設された外側構成部用第１板状部と、外側構成部用第１板状部の外側構成部用糊代部とは反対側で第１折れ線と平行な辺部である第２折れ線から連設された外側構成部用第２板状部と、外側構成部用第２板状部の外側構成部用第１板状部とは反対側で第２折れ線と平行な辺部である第３折れ線から連設された外側構成部用第３板状部と、外側構成部用第３板状部の外側構成部用第２板状部とは反対側で第３折れ線と平行な辺部である第４折れ線から連設された外側構成部用第４板状部とを有し、外側構成部用糊代部と外側構成部用第１板状部と外側構成部用第２板状部と外側構成部用第３板状部と外側構成部用第４板状部の並び方向が左右方向とした場合に、第１折れ線と第２折れ線間の左右方向の長さである第１長さと第３折れ線と第４折れ線間の左右方向の長さである第３長さとが略同一で、第２折れ線と第３折れ線間の左右方向の長さである第２長さと第４折れ線外側構成用第４板状部の第４折れ線とは反対側の端部間の長さである第４長さが略同一である外側構成部と、 １枚のシート状のブランクにより形成された仕切り部で、第１仕切り本体部の一部を構成する第１仕切り本体部用第１構成部と、第１仕切り本体部構成部の辺部である第５折れ線から連設された第１内側板状部と、第１内側板状部の第１仕切り本体部構成部とは反対側で第５折れ線と平行な辺部である第６折れ線から連設された第１外側板状部と、第１外側板状部の第１内側板状部とは反対側で第６折れ線と平行な辺部である第７折れ線から連設された第２仕切り本体部と、第２仕切り本体部の第１外側板状部とは反対側で第７折れ線と平行な辺部である第８折れ線から連設された第２内側板状部と、第２内側板状部の第２仕切り本体部とは反対側で第８折れ線と平行な辺部である第９折れ線から連設された第２外側板状部と、第２外側板状部の第２内側板状部とは反対側で第９折れ線と平行な辺部である第１０折れ線から連設され、第１仕切り本体部の一部を構成する第１仕切り本体部用第２構成部と、を有し、第１仕切り本体部用第１構成部と第１内側板状部と第１外側板状部と第２仕切り本体部と第２内側板状部と第２外側板状部と第１仕切り本体部用第２構成部の並び方向が左右方向とした場合に、第６折れ線と第７折れ線間の左右方向の長さである第７長さが、上記第２長さよりも短く形成され、第５折れ線と第６折れ線間の左右方向の長さである第６長さが、第７長さよりも短く形成され、第７折れ線と第８折れ線間の左右方向の長さである第８長さが、上記第３長さと略同一に形成され、第９折れ線と第１０折れ線間の左右方向の長さである第１０長さが、上記第４長さよりも短く形成され、第８折れ線と第９折れ線間の左右方向の長さである第９長さが、第１０長さよりも短く形成され、第５折れ線と第１仕切り本体部用第１構成部における第５折れ線とは反対側の端部間の左右方向��長さである第５長さと、第１０折れ線と第１仕切り本体部用第２構成部における第１０折れ線とは反対側の端部間の左右方向の長さである第１１長さとの和が、第８長さよりも大きく、第５長さと第６長さとの和が、第１長さ以下であり、第１０長さと第１１長さとの和が第４長さよりも大きく、上記第２長さと上記第３長さの和が、第７長さと第８長さと第９長さの和とが略同一である仕切り部とを有し、外側構成部の外側構成部用糊代部が外側構成部用第４板状部の外側の面に接着され、第１外側板状部が第６折れ線が第２折れ線に隣接した状態で外側構成部の外側構成部用第２板状部の内側の面に接着され、第１内側板状部が第１外側板状部の内側に折り返された状態で第１外側板状部の内側の面に接着され、第２外側板状部が第９折れ線が第４折れ線に隣接した状態で外側構成部の外側構成部用第４板状部の内側の面に接着され、第２内側板状部が第２外側板状部の内側に折り返された状態で第２外側板状部の内側の面に接着され、第１仕切り本体部用第１構成部の先端と第１仕切り本体部用第２構成部の先端とが接着され、第１仕切り本体部用第１構成部と第１仕切り本体部用第２構成部とで構成される第１仕切り本体部と、第２仕切り本体部とで２つの仕切りが構成されることを特徴とする組立体。」としてもよい。
【００１３】
また、第４には、上記第３の構成において、上記外側構成部における外側構成部用第１板状部と外側構成部用第２板状部と外側構成部用第３板状部と外側構成部用第４板状部のそれぞれの端部から折れ線を介して片部が連設され、該片部が、外側構成部を筒状に組み立てて組立体を組み立てる際に、該片部を組み立てることにより外側構成部の一方の端部をカバーするカバー部を形成することを特徴とするものとしてもよい。
【００１４】
また、第５には、上記第３又は第４の構成において、組立体が、カバー部を底面部とし、筒状の外側構成部の上面が開口し、仕切りで区画された空間に被収納物を収納するファイルボックスであることを特徴とするものとしてもよい。
【００１５】
また、第６には、上記第３又は第４の構成において、組立体が、カバー部を背面部とし、別体の引出し部を仕切りで区画された空間内に挿脱する引出しボックス用の本体部であることを特徴とするものとしてもよい。
【発明の効果】
【００１６】
本発明に基づく組立体の製造方法によれば、外側構成部と仕切り部とを同時に製造することができ、外側構成部の製造工程と仕切り部の製造工程とを別々に設ける必要がない。特に、外側構成部と仕切り部とをともに展開状態にして貼り合わせた後に、所定の接着剤塗布領域に接着剤を塗布して所定の片部を折り返すことにより製造することができ、極めて容易に製造することができる。また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。
【図面の簡単な説明】
【００１７】
【図１】ファイルボックスの斜視図である（実施例１）。
【図２】ファイルボックスの底面図である。
【図３】ファイルボックスを畳んだ状態を示す斜視図である。
【図４】ファイルボックスを畳んだ状態からスリーブ状部を筒状にした状態を示す斜視図である。
【図５】図４の分解斜視図である。
【図６】外側構成部の展開図である。
【図７】仕切り部の展開図である。
【図８】ファイルボックスの製造方法を示す説明図である。
【図９】ファイルボックスの製造方法を示す説明図である。
【図１０】ファイルボックスの製造方法を示す説明図である。
【図１１】引出しボックスの前方斜視図である（実施例２）。
【図１２】引出しボックスの後方斜視図である。
【図１３】引出しボックスにおける本体部の前方斜視図である。
【図１４】引出し部の斜視図である。
【図１５】引出しボックスにおける本体部を畳んだ状態を示す斜視図である。
【図１６】引出しボックスにおける本体部を畳んだ状態からスリーブ状部を筒状にした状態を示す斜視図である。
【図１７】図１６の分解斜視図である。
【図１８】外側構成部の展開図である。
【図１９】仕切り部の展開図である。
【図２０】引出し部の展開図である。
【図２１】引出しボックスにおける本体部の製造方法を示す説明図である。
【図２２】引出しボックスにおける本体部の製造方法を示す説明図である。
【図２３】引出しボックスにおける本体部の製造方法を示す説明図である。
【発明を実施するための形態】
【００１８】
本発明においては、仕切りと仕切りの外側の箱体（特に、筒状部分）を同時に製造することができ、該仕切りを１つのブランクで製造することができるとともに、該箱体（特に、筒状部分）を１つのブランクで形成することができる仕切りを有する組立体の製造方法を提供するという目的を以下のようにして実現した。
【実施例１】
【００１９】
本発明に基づく仕切りを有する組立体としてのファイルボックス５は、図１〜７に示すように構成され、外側構成部１０と、外側構成部１０の内側に設けられた仕切り部６０とを有している。外側構成部１０と、仕切り部６０とは、ともに１枚のシート状のブランク（具体的には、段ボール材（好適には、薄型段ボール材）又は厚紙）により形成されている。
【００２０】
外側構成部１０は、図１、図３〜図６に示すように、スリーブ状部（筒状部）２０と、底面部４０（カバー部）とを有している。外側構成部１０の展開状態は、図６に示すようになる。
【００２１】
ここで、スリーブ状部２０は、正面部２２（外側構成部用第２板状部）と、右側面部２４（外側構成部用第１板状部）と、左側面部２６（外側構成部用第３板状部）と、背面部２８（外側構成部用第４板状部）と、糊代部３０（外側構成部用糊代部）と、帯状部３２と、折返し片部３４とを有している。ファイルボックス５を組み立てた際には、正面部２２と背面部２８とは互いに平行となり、右側面部２４と左側面部２６とは互いに平行となる。
【００２２】
正面部２２は、方形状を呈し、外側構成部１０の正面側を構成するものである。また、右側面部２４は、正面部２２の右側面側の辺部から折れ線Ｃ２（第２折れ線）を介して連設され、略台形形状を呈している。つまり、右側面部２４の正面側の上下方向の長さは、正面部２２の上下方向の長さと略同一に形成され、右側面部２４の背面側の上下方向の長さは、右側面部２４の正面側の上下方向の長さよりも長く形成されていて、右側面部２４の上辺は背面側にいくほど高くなるように傾斜している。右側面部２４の正面側の辺部と背面側の辺部とは互いに平行となっている。右側面部２４の下辺は、正面部２２の下辺と同様に水平方向を向いていて、正面部２２の下辺と同じ高さとなっている。なお、正面部２２と右側面部２４の境界位置には、正面部２２と右側面部２４の折れ線に沿って長穴状の開口部２２ａが形成されている。
【００２３】
また、左側面部２６は、正面部２２の左側面側の辺部から折れ線Ｃ３（第３折れ線）を介して連設され、右側面部２４と略対称（展開状態では、略線対称、組立て状態では、略面対称）に形成されている。つまり、左側面部２６は、台形形状を呈し、左側面部２６の上辺は背面側にいくほど高くなるように傾斜している。なお、正面部２２と左側面部２６の境界位置には、開口部は形成されていない。左側面部２６の左右方向の長さ（折れ線Ｃ３と折れ線Ｃ４間の左右方向の長さ）Ａ３は、右側面部２４の左右方向の長さ（折れ線Ｃ１と折れ線Ｃ２間の左右方向の長さ）Ａ１と略同一（同一としてもよい）に形成されている。
【００２４】
また、背面部２８は、左側面部２６の背面側の辺部から折れ線Ｃ４（第４折れ線）を介して連設され、略方形状を呈している。この背面部２８の上下方向の長さは、左側面部２６の背面側の長さと略同一となっている。なお、背面部２８と左側面部２６の境界位置には、背面部２８と左側面部２６の折れ線に沿って長穴状の開口部２６ａが形成されている。背面部２８の左右方向の長さ（折れ線Ｃ４と背面部２８における折れ線とは反対側の辺部間の長さ）Ａ４は、正面部２２の左右方向の長さ（折れ線Ｃ２と折れ線Ｃ３間の左右方向の長さ）Ａ２と略同一（同一又は若干短くとしてもよい）に形成されている。
【００２５】
また、糊代部３０は、右側面部２４の背面側の辺部から折れ線Ｃ１（第１折れ線）を介して連設され、略台形形状を呈し、上下方向に帯状を呈している。糊代部３０は、背面部２８の背面側の面に接着されている。
【００２６】
また、帯状部３２は、正面部２２の上辺から折れ線を介して連設あれ、横方向に帯状を呈している。また、折返し片部３４は、帯状部３２の正面部２２側とは反対側の辺部から折れ線を介して連設され、長方形状を呈している。この折返し片部３４は、正面部２２の背面側に折り返すことにより、仕切り部６０の溝部７２、８２に係止する。
【００２７】
また、底面部４０は、いわゆるＢ式底組タイプであり、右側面部２４の下辺から折れ線を介して連設された片部４２と、正面部２２の下辺から折れ線を介して連設された片部４４と、左側面部２６の下辺から折れ線を介して連設された片部４６と、背面部２８の下辺から折れ線を介して連設された片部４８とを組み合わせることにより構成される。ここで、片部４２は、右側面部２４の下辺から先端側に行くほど幅狭となる台形形状（等脚台形形状）の先端に両角にアールを設けた長方形状を組み合わせた形状を呈し、片部４４は、正面部２２の下辺と直角をなす辺部を有する台形形状に１つの角部（正面部２２の下辺と直角をなす辺部とは反対側の角部）にアールを設けた長方形状を組み合わせた形状を呈し、片部４６は、長方形状の左側面部２６の下辺とは反対側の辺部に沿って略長方形状の切欠部を設けた形状を呈し、片部４８は、片部４４と対称形状を呈している。ファイルボックス５を組み立てた状態では、底面部４０は、ファイルボックス５の底面を構成する。
【００２８】
また、仕切り部６０は、図５に示すように、正面部６２と、正面部６２から背面側に連設された右側仕切り本体部６４と、正面部６２から背面側に連設された左側仕切り本体部６６と、右側仕切り本体部６４と左側仕切り本体部６６の背面側に連設された背面部６８とを有している。ファイルボックス５を組み立てた際には、正面部６２と背面部６８とは互いに平行となり、右側仕切り本体部６４と左側仕切り本体部６６とは互いに平行となるとともに、正面部６２や背面部６８に対して直角となる。正面部６２は、外側構成部１０の正面部２２の背面側に接着され、背面部６８は、外側構成部１０の背面部２８の正面側に接着されている。
【００２９】
ここで、仕切り部６０の展開状態は、図７に示すように構成され、前側正面部６２ａ（第１外側板状部）と、後側正面部６２ｂ（第１内側板状部）と、右側仕切り本体部構成部６４ａ（第１仕切り本体部用第１構成部）と、左側仕切り本体部６６（第２仕切り本体部）と、前側背面部６８ａ（第２内側板状部）と、後側背面部６８ｂ（第２外側板状部）と、右側仕切り本体部構成部６４ｂ（第１仕切り本体部用第２構成部）とを有している。つまり、前側正面部６２ａと後側正面部６２ｂとで正面部６２が構成され、右側仕切り本体部構成部６４ａと右側仕切り本体部構成部６４ｂとで右側仕切り本体部６４が構成され、前側背面部６８ａと後側背面部６８ｂとで背面部６８が構成される。
【００３０】
前側正面部６２ａは、方形状を呈し、その左右方向の長さ（折れ線Ｃ６と折れ線Ｃ７間の左右方向の長さ）Ｂ３は正面部２２の左右方向の長さＡ２よりも小さく形成され（Ｂ３＜Ａ２）、具体的には、正面部２２の左右方向の長さＡ２の略２／３（丁度２／３としてもよい）の長さに形成されている。また、前側正面部６２ａの上下方向の長さは、正面部２２の上下方向の長さよりも短く形成されている。この前側正面部６２ａの背面側の接着剤塗布領域Ｎ１には、製造時に糊付けされる。接着剤塗布領域Ｎ１の代わりに、後側正面部６２ｂに接着剤塗布領域を設けてもよい。
【００３１】
また、後側正面部６２ｂは、前側正面部６２ａの右側面側の辺部から折れ線Ｃ６（第６折れ線）を介して連設され、略方形状を呈し、その左右方向の長さ（折れ線Ｃ５と折れ線Ｃ６間の左右方向の長さ）Ｂ２は、前側正面部６２ａの左右方向の長さ（折れ線Ｃ６と折れ線Ｃ７の左右方向の長さ）Ｂ３よりも短く形成され（Ｂ２＜Ｂ３）、具体的には、前側正面部６２ａの左右方向の長さＢ３の略１／２（又は正面部２２の左右方向の長さの略１／３（丁度１／３としてもよい））の長さに形成されている。後側正面部６２ｂの上下方向の長さは、前側正面部６２ａの上下方向の長さと同一に形成されていて、仕切り部６０の展開状態において、前側正面部６２ａと後側正面部６２ｂとは全体で方形状を呈している。
【００３２】
また、右側仕切り本体部構成部６４ａは、後側正面部６２ｂの前側正面部６２ａとは反対側の辺部から折れ線Ｃ５（第５折れ線）を介して連設され、略台形形状を呈している。つまり、右側仕切り本体部構成部６４ａの下辺は水平で上辺は背面側に行くほど高くなるように直線状に傾斜している。右側仕切り本体部構成部６４ａの正面側の辺部と背面側の辺部とは互いに平行となっている。右側仕切り本体部構成部６４ａの上下方向の最大長さ（背面側の長さ）は、右側面部２４の上下方向の最大長さ（背面側の長さ）よりも短く形成されている。また、右側仕切り本体部構成部６４ａの左右方向の長さ（折れ線Ｃ５と右側仕切り本体部構成部６４ａの折れ線Ｃ５とは反対側の辺部間の長さ）Ｂ１は、製造過程において、外側構成部１０の糊代部３０への糊付けの支障とならないように、右側面部２４の左右方向の長さＡ１から後側正面部６２ｂの左右方向の長さＢ２を減じた長さ以下に形成されている。つまり、Ｂ１≦Ａ１−Ｂ２となっている。また、右側仕切り本体部構成部６４ａの上辺の正面側の端部領域には、円弧状の切欠部７０が形成され、切欠部７０の正面側には溝部７２が形成され、この溝部７２は、後側正面部６２ｂの境界位置に接している。
【００３３】
また、左側仕切り本体部６６は、前側正面部６２ａの後側正面部６２ｂとは反対側の辺部から折れ線Ｃ７（第７折れ線）を介して連設され、略台形形状を呈している。つまり、左側仕切り本体部６６の下辺は水平で上辺は背面側に行くほど高くなるように直線状に傾斜している。左側仕切り本体部６６の正面側の辺部と背面側の辺部とは互いに平行となっている。左側仕切り本体部６６の上下方向の最大長さ（背面側の長さ）は、左側面部２６の上下方向の最大長さ（背面側の長さ）よりも短く形成されているが、右側仕切り本体部構成部６４ａの上下方向の最大長さ（背面側の長さ）よりも長く形成されている。また、左側仕切り本体部６６の左右方向の長さ（折れ線Ｃ７と折れ線Ｃ８間の左右方向の長さ）Ｂ４は、右側面部２４の左右方向の長さＡ１や左側面部２６の左右方向の長さＡ３と略同一（又は若干短く）形成されていて、右側仕切り本体部構成部６４ａの左右方向の長さＢ１よりも長く形成されている。つまり、右側仕切り本体部構成部６４ａは右側仕切り本体部構成部６４ｂと接続されて、右側仕切り本体部６４を構成するが、左側仕切り構成部６６は単体で仕切りを構成するので、その分、右側仕切り本体部構成部６４ａよりも大きく形成されている。また、左側仕切り本体部６６の上辺の正面側の端部領域には、円弧状の切欠部８０が形成され、切欠部８０の正面側には溝部８２が形成され、この溝部８２は、前側正面部６２ａの境界位置に接している。
【００３４】
なお、右側仕切り本体部構成部６４ａの切欠部７０と、左側仕切り本体部６６の切欠部８０は、折返し片部３４を正面部２２の背面側に折り返す際の空間を形成するために形成されている。
【００３５】
また、前側背面部６８ａは、左側仕切り本体部６６の背面側の辺部から折れ線Ｃ８（第８折れ線）を介して連設され、略方形状を呈している。前側背面部６８ａの左右方向の長さ（折れ線Ｃ８と折れ線Ｃ９間の左右方向の長さ）Ｂ５は、後側背面部６８ｂの左右方向の長さ（折れ線Ｃ９と折れ線Ｃ１０間の左右方向の長さ）Ｂ６よりも短く形成され（Ｂ５＜Ｂ６）、具体的には、背面部２８の左右方向の長さＡ４の略１／３（丁度１／３としてもよい）の長さに形成されている。また、前側背面部６８ａの上下方向の長さは、左側仕切り本体部６６の上下方向の長さよりも長く形成され、前側背面部６８ａの上辺は、左側仕切り本体部６６の上辺と連続しているものの、前側背面部６８ａの下端は、左側仕切り本体部６６の下辺よりも下方に突出している。前側背面部６８ａの背面側（展開状態では、前側正面部６２ａの接着剤塗布領域Ｎ１と同じ側の面）の接着剤塗布領域Ｎ２には、製造時に糊付けされる。接着剤塗布領域Ｎ２の代わりに、後側背面部６８ｂの前側背面部６８ａと重なる領域に接着剤塗布領域を設けてもよい。
【００３６】
また、後側背面部６８ｂは、前側背面部６８ａの左側仕切り本体部６６とは反対側の辺部から折れ線Ｃ９（第９折れ線）を介して連設されていて、略方形状を呈している。その左右方向の長さＢ６は背面部２８の左右方向の長さＡ４よりも小さく形成され（Ｂ６＜Ａ４）、具体的には、背面部２８の左右方向の長さＡ４の略２／３（丁度２／３としてもよい）の長さに形成されている。後側背面部６８ｂの上下方向の長さは、前側背面部６８ａと略同一であり、後側背面部６８ｂの上辺と下辺の高さは、前側背面部６８ａの上辺と下辺の高さと略同一となっている。なお、後側背面部６８ｂと前側背面部６８ａの境界位置の上端と下端には、後側背面部６８ｂと前側背面部６８ａ間の折れ線に沿って縦長帯状の切欠部６９ａ、６９ｂが形成されている。
【００３７】
また、右側仕切り本体部構成部６４ｂは、後側背面部６８ｂの前側背面部６８ａとは反対側の辺部から折れ線Ｃ１０（第１０折れ線）を介して連設され、略台形形状を呈している。つまり、右側仕切り本体部構成部６４ｂの下辺は水平で上辺は先端側に行くほど低くなるように直線状に傾斜している。右側仕切り本体部構成部６４ｂの上辺の水平方向に対する傾斜角度は、右側仕切り本体部構成部６４ａの直線状の上辺の水平方向に対する傾斜角度と略同一に形成されていて、右側仕切り本体部構成部６４ｂと右側仕切り本体部構成部６４ａとを接着した場合に、右側仕切り本体部構成部６４ｂの上辺と右側仕切り本体部構成部６４ａの上辺とが連続するように形成されている。また、右側仕切り本体部構成部６４ｂの下辺は水平方向を向いていて、その高さは右側仕切り本体部構成部６４ａの高さと同じとなっている。右側仕切り本体部構成部６４ｂの正面側の辺部と背面側の辺部とは互いに平行となっている。また、右側仕切り本体部構成部６４ｂの左右方向の長さ（折れ線Ｃ１０と右側仕切り本体部構成部６４ｂの折れ線Ｃ１０とは反対側の端部間の左右方向の長さ）Ｂ７は、右側仕切り本体部構成部６４ａと接着可能な長さに形成されていて、長さＢ７と長さＢ１の合計は、左側仕切り本体部６６の左右方向の長さＢ４よりも大きく形成されている。つまり、Ｂ１＋Ｂ７＞Ｂ４となっている。また、製造過程において、右側仕切り本体部構成部６４ｂが背面部２８から突出して右側仕切り本体部構成部６４ｂに接着剤塗布領域を確保するために、長さＢ７は、背面部２８の左右方向の長さＡ４から後側背面部６８ｂの左右方向の長さＢ６を減じた長さよりも長く形成されており、すなわち、長さＢ６と長さＢ７の和が長さＡ４よりも大きくなっている。つまり、Ｂ６＋Ｂ７＞Ａ４となっている。この右側仕切り本体部構成部６４ｂの右側面側（展開状態では、前側正面部６２ａの接着剤塗布領域Ｎ１や、前側背面部６８ａの接着剤塗布領域Ｎ２とは反対側の面）の接着剤塗布領域Ｎ３には、製造時に糊付けされる。
【００３８】
また、前側正面部６２ａの左右方向の長さＢ３が正面部２２の左右方向の長さＡ２の略２／３の長さに形成され、前側背面部６８ａの左右方向の長さＢ５が背面部２８の左右方向の長さＡ４の略１／３の長さに形成され、正面部２２の左右方向の長さＡ２と背面部２８の左右方向の長さＡ４とは、略同一に形成されているので、外側構成部１０における正面部２２と右側面部２４間の折れ線Ｃ２と左側面部２６と背面部２８間の折れ線Ｃ４との間の長さ（すなわち、長さＡ２＋長さＡ３）α１と、仕切り部６０における前側正面部６２ａと後側正面部６２ｂ間の折れ線Ｃ６と前側背面部６８ａと後側背面部６８ｂ間の折れ線Ｃ９との間の長さ（すなわち、長さＢ３＋長さＢ４＋長さＢ５）β１とは、略同一に形成されている。
【００３９】
仕切り部６０において、後側正面部６２ｂは、前側正面部６２ａの背面側に折り返した状態で前側正面部６２ａの背面側に接着され、前側背面部６８ａは、後側背面部６８ｂの正面側に折り返した状態で後側背面部６８ｂの正面側に接着され、右側仕切り本体部構成部６４ａの先端側（後側正面部６２ｂとは反対側）が、右側仕切り本体部構成部６４ｂの先端側（後側背面部６８ｂ側とは反対側）の右側面側に接着されている。また、前側正面部６２ａの正面側が、正面部２２の背面側に接着され、後側背面部６８ｂの背面側が背面部２８の正面側に接着されている。その際、前側正面部６２ａと後側正面部６２ｂ間の折れ線（第６折れ線）が正面部２２と右側面部２４間の折れ線（第２折れ線）に隣接した状態で前側正面部６２ａが正面部２２に接着され（つまり、正面部６２の右側面側の端部は、正面部２２の右側面側の端部と略一致している）、また、後側背面部６８ｂと前側背面部６８ａ間の折れ線（第９折れ線）が背面部２８と左側面部２６間の折れ線（第４折れ線）に隣接した状態で後側背面部６８ｂが背面部２８に接着されている（つまり、背面部６８の左側面側の端部は、背面部２８の左側面側の端部と略一致している）。
【００４０】
上記構成のファイルボックス５の製造方法について図８〜図１０を使用して説明する。なお、図６、図８〜図１０において点線のハッチングは平面側からは見えない裏面側に領域が存在することを示している。
【００４１】
まず、図６に示す展開状態の外側構成部１０と、図７に示す展開状態の仕切り部６０を製造する。なお、折れ線箇所には、予め罫線を形成しておくことが好ましい。
【００４２】
次に、予め外側構成部１０におけるホットメルト糊塗布領域Ｍ１、Ｍ２にホットメルト糊を塗布しておく。そして、外側構成部１０を展開した状態で、かつ、完成時の外側の面が下側となるように配置し、外側構成部１０の上面に、仕切り部６０を展開した状態で、かつ、接着剤塗布領域Ｎ１、Ｎ２が上側を向くように（つまり、前側正面部６２ａの正面側が下側（つまり、外側構成部１０側）となるように）配置する。その際、図８に示すように、左右方向においては、仕切り部６０の折れ線Ｃ６と外側構成部１０の折れ線Ｃ２とが一致し、仕切り部６０の折れ線Ｃ９と外側構成部１０の折れ線Ｃ４とが一致するようにする。また、上下方向においては、仕切り部６０の右側仕切り本体部構成部６４ａの下辺の高さが外側構成部１０のＰ位置（図８）の高さと一致するようにし、少なくとも、前側正面部６２ａが正面部２２に対して上下方向にはみ出さず、また、後側背面部６８ｂが背面部２８に対して上下方向にはみ出さないようにする。そして、ホットメルト糊が冷却して固化する前にホットメルト糊塗布領域Ｍ１、Ｍ２の領域を押圧して、ホットメルト糊塗布領域Ｍ１、Ｍ２の領域で外側構成部１０と仕切り部６０とを接着する（接着工程）。つまり、正面部２２と前側正面部６２ａとを接着し、背面部２８と後側背面部６８ｂとを接着する。
【００４３】
その後、前側背面部６８ａの接着剤塗布領域Ｎ２（第１接着剤塗布領域）に接着剤を塗布する（第１接着剤塗布工程）。なお、接着剤塗布領域Ｎ２の代わりに、後側背面部６８ｂに接着剤塗布領域を設けて接着剤を塗布してもよい。
【００４４】
その後、外側構成部１０における折れ線Ｃ４よりも外側の部分（つまり、背面部２８）を折れ線Ｃ４を中心に折り返すとともに、仕切り部６０における折れ線Ｃ９よりも外側の部分（後側背面部６８ｂと右側仕切り本体部構成部６４ｂ）を折れ線Ｃ９を中心に折り返して（図９参照）、該折り返した部分の少なくとも接着剤塗布領域Ｎ２の箇所を上側から押圧する。すると、前側背面部６８ａと後側背面部６８ｂとが接着される（第２接着工程）。なお、折れ線Ｃ４と折れ線Ｃ９とが一致するので、外側構成部１０と仕切り部６０とを同時に折り畳むことができる。
【００４５】
その後、前側正面部６２ａの接着剤塗布領域Ｎ１（第２接着剤塗布領域）と、右側仕切り本体部構成部６４ｂの接着剤塗布領域Ｎ３（第３接着剤塗布領域）と、糊代部３０全体の接着剤塗布領域Ｍ３（第４接着剤塗布領域）とに接着剤を塗布する（第２接着剤塗布工程）。その際、Ｂ６＋Ｂ７＞Ａ４であるので、接着剤塗布領域Ｎ３に接着剤を塗布することができ、Ｂ１≦Ａ１−Ｂ２であるので、接着剤塗布領域Ｍ３への接着剤の塗布に支障となることがない。なお、接着剤塗布領域Ｎ１の代わりに、後側正面部６２ｂに接着剤塗布領域を設けて接着剤を塗布してもよい。同様に、接着剤塗布領域Ｎ３の代わりに、右側仕切り本体部構成部６４ａの後側正面部６２ｂとは反対側の端部領域に接着剤塗布領域を設けて接着剤を塗布してもよい。同様に、糊代部３０の接着剤塗布領域Ｍ３の代わりに、背面部２８における糊代部３０との接着領域に接着剤塗布領域を設けて接着剤を塗布してもよい。
【００４６】
その後、外側構成部１０における折れ線Ｃ２よりも外側の部分（つまり、右側面部２４と糊代部３０）を折れ線Ｃ２を中心に折り返すとともに、仕切り部６０における折れ線Ｃ６よりも外側の部分（後側正面部６２ｂと右側仕切り本体部構成部６４ａ）を折れ線Ｃ６を中心に折り返して（図１０参照）、少なくとも各接着剤塗布領域Ｎ１、Ｎ３、Ｍ３の箇所を上側から押圧する。すると、仕切り部６０において、前側正面部６２ａと後側正面部６２ｂとが接着し、右側仕切り本体部構成部６４ａと右側仕切り本体部構成部６４ｂとが接着し、外側構成部１０において、背面部２８と糊代部３０とが接着される（第３接着工程）。なお、折れ線Ｃ２と折れ線Ｃ６が一致するので、外側構成部１０と仕切り部６０とを同時に折り畳むことができる。
【００４７】
以上のようにして、ファイルボックス５が形成されるが、上記のように製造された段階では、図３に示すように、ファイルボックス５を平板状に折り畳んだ状態で形成される。なお、上記の製造は、組立て装置により自動で製造される。
【００４８】
上記のように製造されたファイルボックス５の使用方法について説明する。ファイルボックス５を保管又は運搬する際には、図３に示すようにファイルボックス５を折り畳んだ状態としておく。ファイルボックス５を折り畳んだ状態では、右側面部２４と背面部２８とが１つの板状を呈するとともに、正面部２２と左側面部２６とが１つの板状を呈していて、右側面部２４及び背面部２８は、正面部２２及び左側面部２６と略平行となっている。また、仕切り部６０においても、前側正面部６２ａと左側仕切り本体部６６と前側背面部６８ａとが１つの板状を呈するとともに、後側正面部６２ｂと右側仕切り本体部構成部６４ａと右側仕切り本体部構成部６４ｂと後側背面部６８ｂとが１つの板状を呈していて、全体に平板状に折り畳まれた状態となっている。
【００４９】
次に、ファイルボックス５を使用する際には、外側構成部１０のスリーブ状部２０について、隣接する部材が互いに直角となるようにして筒状とし、底面部４０を組み立てる。底面部４０の組立てに際しては、片部４６の外側に片部４４と片部４８とを配置させ、さらに、片部４４、４８の外側に片部４２を配置させて片部４２を内側に押し込むようにする。すると、図２に示すように、片部４２〜４８が組み立てられて底面部４０が構成される。
【００５０】
以上のように、組み立てられたファイルボックス５においては、外側構成部１０内の収納空間が、右側仕切り本体部６４と左側仕切り本体部６６の２つの仕切りにより区画されるので、区画された空間内に被収納物を収納して使用する。その際、Ｂ３＜Ａ２、Ｂ２＜Ｂ３、Ｂ６＜Ａ４、Ｂ５＜Ｂ６であるので、２つの略平行な仕切りを形成することができる。
【００５１】
以上のように、本実施例のファイルボックス５の製造においては、外側構成部と仕切り部とを同時に製造することができ、外側構成部の製造工程と仕切り部の製造工程とを別々に設ける必要がない。特に、外側構成部１０と仕切り部６０とをともに展開状態にして貼り合わせた後に、所定の接着剤塗布領域に接着剤を塗布して所定の片部を折り返すことにより製造することができ、極めて容易に製造することができる。
【００５２】
また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。
【００５３】
なお、上記の説明においては、図８に示すように、外側構成部１０の糊代部３０を平面視で左右方向の左端に配置した状態で製造するものとして説明したが、図８における外側構成部１０の表裏を逆にして糊代部３０を左右方向の右端に配置し、同様に、仕切り部６０も図８の状態に対して表裏逆にして、上記と同様に、折れ線Ｃ２とＣ５を一致させるとともに折れ線Ｃ４と折れ線Ｃ９を一致させて外側構成部１０の上面に設置して、製造してもよい。
【実施例２】
【００５４】
本発明に基づく仕切りを有する組立体としての引出しボックス１０５は、図１１〜図２０に示すように構成され、本体部１０６と、引出し部３００とを有している。
【００５５】
本体部１０６は、複数の引出し部３００を収納可能に形成されていて、外側構成部１１０と、外側構成部１１０の内側に設けられた仕切り部１６０とを有している。外側構成部１１０と、仕切り部１６０と、引出し部３００とは、ともに１枚のシート状のブランク（具体的には、段ボール材（好適には、薄型段ボール材）又は厚紙）により形成されている。
【００５６】
外側構成部１１０は、図１１〜図１３、図１５〜図１８に示すように、スリーブ状部（筒状部）１２０と、背面部１４０（カバー部）と、帯状部１５２ａ、１５２ｂ、１５２ｃ、１５４ａ、１５６ａ、１５８ａ、１５８ｂ、１５８ｃと、突出片部１５３ａ、１５３ｂ、１５３ｃ、１５５ａ、１５７ａ、１５９ａ、１５９ｂ、１５９ｃとを有している。外側構成部１０の展開状態は、図１８に示すようになる。
【００５７】
ここで、スリーブ状部１２０は、左側面部１２２（外側構成部用第２板状部）と、底面部１２４（外側構成部用第１板状部）と、上面部１２６（外側構成部用第３板状部）と、右側面部１２８（外側構成部用第４板状部）と、糊代部１３０（外側構成部用糊代部）とを有している。本体部１０６を組み立てた際には、左側面部１２２と右側面部１２８とは互いに平行となり、底面部１２４と上面部１２６とは互いに平行となる。突出片部１５３ａ、１５３ｂ、１５３ｃ、１５５ａ、１５７ａ、１５９ａ、１５９ｂ、１５９ｃは、外側構成部１１０の内側に折り返された状態となる。
【００５８】
左側面部１２２は、略方形状を呈し、外側構成部１１０の左側面側を構成するものである。
【００５９】
また、底面部１２４は、左側面部１２２の底面側の辺部から折れ線Ｃ１２（第２折れ線）を介して連設され、略方形状を呈している。なお、左側面部１２２と底面部１２４の境界位置には、左側面部１２２と底面部１２４の折れ線に沿って長穴状の開口部１２２ａが形成されている。
【００６０】
また、上面部１２６は、左側面部１２２の上辺から折れ線Ｃ１３（第３折れ線）を介して連設され、底面部１２４と略対称（展開状態では、略線対称、組立て状態では、略面対称）に形成されている。つまり、上面部１２６は、方形状を呈している。なお、左側面部１２２と上面部１２６の境界位置には、開口部は形成されていない。上面部１２６の左右方向の長さ（折れ線Ｃ１３と折れ線Ｃ１４間の左右方向の長さ）Ａ１３は、底面部１２４の左右方向の長さ（折れ線Ｃ１１と折れ線Ｃ１２間の左右方向の長さ）Ａ１１と略同一（同一としてもよい）に形成されている。
【００６１】
また、右側面部１２８は、上面部１２６の右側面側の辺部から折れ線Ｃ１４（第４折れ線）を介して連設され、左側面部１２２と略対称（展開状態では、略線対称、組立て状態では、略面対称）に形成されている。つまり、右側面部１２８は、略方形状を呈している。なお、右側面部１２８と上面部１２６の境界位置には、右側面部１２８と上面部１２６の折れ線に沿って長穴状の開口部１２６ａが形成されている。右側面部１２８の上下方向（図１８では、左右方向）の長さ（折れ線Ｃ１４と右側面部１２８における折れ線Ｃ１４とは反対側の端部間の左右方向の長さ）Ａ１４は、左側面部１２２の上下方向（図１８では、左右方向）の長さ（折れ線Ｃ１２と折れ線Ｃ１３間の左右方向の長さ）Ａ１２と略同一（同一又は若干短く）に形成されている。
【００６２】
なお、外側構成部１１０において、上記左側面部１２２と底面部１２４と上面部１２６と右側面部１２８における上辺は、同一直線状に形成され、上記左側面部１２２と底面部１２４と上面部１２６と右側面部１２８における下辺は、同一直線状に形成されている。これにより、左側面部１２２と、底面部１２４と、上面部１２６と、右側面部１２８の前後方向（図１８では、上下方向の長さ）は、同一に形成されている。
【００６３】
また、糊代部１３０は、底面部１２４の右側面側の辺部から折れ線Ｃ１１（第１折れ線）を介して連設され、略台形形状を呈し、前後方向に帯状を呈している。糊代部１３０は、右側面部１２８の外側の面に接着されている。
【００６４】
また、背面部１４０は、いわゆるＢ式底組タイプであり、底面部１２４の背面側の辺部から折れ線を介して連設された片部１４２と、左側面部１２２の背面側の辺部から折れ線を介して連設された片部１４４と、上面部１２６の背面側の辺部から折れ線を介して連設された片部１４６と、右側面部１２８の背面側の辺部から折れ線を介して連設された片部１４８とを組み合わせることにより構成される。ここで、片部１４２は、底面部１２４の背面側の辺部から先端側に行くほど幅狭となる台形形状（等脚台形形状）の先端に両角にアールを設けた長方形状を組み合わせた形状を呈し、片部１４４は、左側面部１２２の背面側の辺部と直角をなす辺部を有する台形形状に１つの角部（左側面部１２２の背面側の辺部と直角をなす辺部とは反対側の角部）にアールを設けた長方形状を組み合わせた形状を呈し、片部１４６は、長方形状の上面部１２６の背面側の辺部とは反対側の辺部に沿って略長方形状の切欠部を設けた形状を呈し、片部１４８は、片部１４４と対称形状を呈している。本体部１０６を組み立てた状態では、背面部１４０は、本体部１０６の背面を構成する。
【００６５】
なお、左側面部１２２、底面部１２４、上面部１２６、右側面部１２８の前後方向（図１８においては、上下方向）の長さは略同一に形成されている。
【００６６】
また、帯状部１５２ａ、１５２ｂ、１５２ｃは、左側面部１２２の正面側の辺部から折れ線を介して連設され、左側面部１２２の正面側の辺部に沿って帯状を呈している。また、突出片部１５３ａは、帯状部１５２ａから折れ線を介して連設され、突出片部１５３ｂは、帯状部１５２ｂから折れ線を介して連設され、突出片部１５３ｃは、帯状部１５２ｃから折れ線を介して連設されていて、突出片部１５３ａ、１５３ｂ、１５３ｃは、ともに略方形状を呈するが、先端側の両側が突出した突出部を有した形状となっている。つまり、突出片部１５３ａと突出片部１５３ｃの一方の側部に切欠部を設けるとともに、隣接する突出片部の境界位置に細長状の開口部を設けることにより、突出片部１５３ａ、１５３ｂ、１５３ｃの先端の両側が突出した突出部が設けられている。また、隣接する突出片部において、互いに隣接する突出部は切込みにより分離されている。
【００６７】
また、帯状部１５４ａは、底面部１２４の正面側の辺部（図１８では、上辺）から折れ線を介して連設され、底面部１２４の正面側の辺部に沿って帯状を呈している。また、突出片部１５５ａは、帯状部１５４ａから折れ線を介して連設され、略方形状を呈し、先端の糊代部１３０側の角部には、突出片部１５９ａの突出部が嵌合するための切欠きが形成されている。
【００６８】
また、帯状部１５６ａは、上面部１２６の正面側の辺部（図１８では、上辺）から折れ線を介して連設され、上面部１２６の正面側の辺部に沿って帯状を呈している。また、突出片部１５７ａは、帯状部１５６ａから折れ線を介して連設され、突出片部１５５ａと点対称に形成されている。つまり、突出片部１５７ａは、略方形状を呈し、先端の左側面部１２２側の角部には、突出片部１５３ａの突出部が嵌合するための切欠きが形成されている。
【００６９】
また、帯状部１５８ａ、１５８ｂ、１５８ｃは、右側面部１２８の正面側の辺部から折れ線を介して連設され、右側面部１２８の正面側の辺部に沿って帯状を呈している。また、突出片部１５９ａは、帯状部１５８ａから折れ線を介して連設され、突出片部１５９ｂは、帯状部１５８ｂから折れ線を介して連設され、突出片部１５９ｃは、帯状部１５８ｃから折れ線を介して連設されていて、突出片部１５９ａ、１５９ｂ、１５９ｃは、ともに略方形状を呈するが、先端側の両側が突出した突出部を有した形状となっている。つまり、突出片部１５９ａと突出片部１５９ｃの一方の側部に切欠部を設けるとともに、隣接する突出片部の境界位置に細長状の開口部を設けることにより、突出片部１５９ａ、１５９ｂ、１５９ｃの先端の両側が突出した突出部が設けられている。また、隣接する突出片部において、互いに隣接する突出部は切込みにより分離されている。
【００７０】
また、仕切り部１６０は、図１７に示すように、側面部１６２と、側面部１６２から右側面側に連設された下側仕切り本体部１６４と、側面部１６２から右側面側に連設された上側仕切り本体部１６６と、下側仕切り本体部１６４と上側仕切り本体部１６６の右側面側に連設された側面部１６８と、帯状部１７０、１７４、１７８と、突出片部１７２、１７６、１８０とを有している。
【００７１】
本体部１０６を組み立てた際には、側面部１６２と側面部１６８とは互いに平行となり、下側仕切り本体部１６４と上側仕切り本体部１６６とは互いに平行となるとともに、側面部１６２や側面部１６８に対して直角となる。側面部１６２は、外側構成部１１０の左側面部１２２の内側（右側面側）に接着され、側面部１６８は、外側構成部１１０の右側面部１２８の内側（左側面側）に接着されている。また、突出片部１７２、１７６、１８０は、内側に折り返された状態となる。
【００７２】
ここで、仕切り部１６０の展開状態は、図１９に示すように構成され、外側側面部１６２ａ（第１外側板状部）と、内側側面部１６２ｂ（第１内側板状部）と、下側仕切り本体部構成部１６４ａ（第１仕切り本体部用第１構成部）と、上側仕切り本体部１６６（第２仕切り本体部）と、内側側面部１６８ａ（第２内側板状部）と、外側側面部１６８ｂ（第２外側板状部）と、下側仕切り本体部構成部１６４ｂ（第１仕切り本体部用第２構成部）とを有している。つまり、外側側面部１６２ａと内側側面部１６２ｂとで側面部１６２が構成され、下側仕切り本体部構成部１６４ａと下側仕切り本体部構成部１６４ｂとで下側仕切り本体部１６４が構成され、内側側面部１６８ａと外側側面部１６８ｂとで側面部１６８が構成される。
【００７３】
外側側面部１６２ａは、方形状を呈し、その左右方向（図１９）（組立て状態では上下方向）の長さ（折れ線Ｃ１６と折れ線Ｃ１７間の左右方向の長さ）Ｂ１３は左側面部１２２の左右方向（図１８）の長さＡ１２よりも小さく形成され（Ｂ１３＜Ａ１２）、具体的には、左側面部１２２の左右方向の長さＡ１２の略２／３（丁度２／３としてもよい）の長さに形成されている。なお、外側側面部１６２ａの正面側の辺部からは前後方向にスリット状の切欠部１９０が形成されていて、本体部１０６を組み立てる際に、外側側面部１６２ａの正面側の領域の動きの自由度を与えている。
【００７４】
また、内側側面部１６２ｂは、外側側面部１６２ａの上辺から折れ線Ｃ１６（第６折れ線）を介して連設され、略方形状を呈し、その左右方向（図１９）の長さ（折れ線Ｃ１５と折れ線Ｃ１６間の左右方向の長さ）Ｂ１２は、外側側面部１６２ａの左右方向（図１９）の長さＢ１３よりも短く形成され（Ｂ１２＜Ｂ１３）、具体的には、外側側面部１６２ａの左右方向（図１９）の長さＢ１３の略１／２（又は左側面部１２２の左右方向の長さの略１／３（丁度１／３としてもよい））の長さに形成されている。この内側側面部１６２ｂの内側の接着剤塗布領域Ｎ１１には、製造時に糊付けされる。接着剤塗布領域Ｎ１１の代わりに、外側側面部１６２ａの内側側面部１６２ｂと重なる領域に接着剤塗布領域を設けてもよい。なお、内側側面部１６２ｂと外側側面部１６２ａの境界位置には、正面側の端部から前後方向にスリット状の切欠部１９２が形成されるとともに、背面側の端部から前後方向にスリット状の切欠部１９４が形成されて、外側側面部１６２ａと内側側面部１６２ｂ間の折れ線Ｃ１６を折曲しやすくしている。
【００７５】
また、下側仕切り本体部構成部１６４ａは、内側側面部１６２ｂの外側側面部１６２ａとは反対側の辺部から折れ線Ｃ１５（第５折れ線）を介して連設され、略方形状を呈している。また、下側仕切り本体部構成部１６４ａの左右方向（図１９）の長さ（折れ線Ｃ１５と下側仕切り本体部構成部１６４ａの折れ線Ｃ１５とは反対側の辺部間の長さ）Ｂ１１は、製造過程において、外側構成部１１０の糊代部１３０への糊付けの支障とならないように、底面部１２４の左右方向（図１９）の長さＡ１１から内側側面部１６２ｂの左右方向（図１９）の長さＢ１２を減じた長さ以下に形成されている。つまり、Ｂ１１≦Ａ１１−Ｂ１２となっている。なお、内側側面部１６２ｂと下側仕切り本体部構成部１６４ａの境界位置の正面側には、突出片部１５３ｃの突出部が嵌合するためのコ字状の切欠部１９６が形成されている。
【００７６】
また、上側仕切り本体部１６６は、外側側面部１６２ａの内側側面部１６２ｂとは反対側の辺部から折れ線Ｃ１７（第７折れ線）を介して連設され、略方形状を呈している。また、上側仕切り本体部１６６の左右方向（図１９）の長さ（折れ線Ｃ１７と折れ線Ｃ１８間の左右方向の長さ）Ｂ１４は、底面部１２４の左右方向の長さＡ１１や上面部１２６の左右方向の長さＡ１３と略同一（又は若干短く）形成されていて、下側仕切り本体部構成部１６４ａの左右方向の長さＢ１１よりも長く形成されている。つまり、下側仕切り本体部構成部１６４ａは下側仕切り本体部構成部１６４ｂと接続されて、下側仕切り本体部１６４を構成するが、上側仕切り本体部１６６は単体で仕切りを構成するので、その分、下側仕切り本体部構成部１６４ａよりも大きく形成されている。なお、上側仕切り本体部１６６と外側側面部１６２ａの境界位置の外側側面部１６２ａ側には、突出片部１７６の突出部１７６ａが嵌合する開口部１９８が形成され、さらに、突出片部１５３ａの突出部が嵌合するためのコ字状の切欠部２００が形成されている。
【００７７】
また、内側側面部１６８ａは、上側仕切り本体部１６６の外側側面部１６２ａとは反対側の辺部から折れ線Ｃ１８（第８折れ線）を介して連設され、略方形状を呈している。内側側面部１６８ａの左右方向（図１９）の長さ（折れ線Ｃ１８と折れ線Ｃ１９間の左右方向の長さ）Ｂ１５は、外側側面部１６８ｂの左右方向の長さ（折れ線Ｃ１９と折れ線Ｃ２０間の左右方向の長さ）Ｂ１６よりも短く形成され（Ｂ１５＜Ｂ１６）、具体的には、右側面部１２８の左右方向の長さＡ１４の略１／３（丁度１／３としてもよい）の長さに形成されている。なお、内側側面部１６８ａと上側仕切り本体部１６６の境界位置の正面側には、突出片部１５９ｃの突出部が嵌合するためのコ字状の切欠部２０２が形成されている。内側側面部１６８ａの右側面側（展開状態では、内側側面部１６２ｂの接着剤塗布領域Ｎ１１と同じ側の面）の接着剤塗布領域Ｎ１２には、製造時に糊付けされる。なお、接着剤塗布領域Ｎ１２の代わりに、外側側面部１６８ｂの内側側面部１６８ａと重なる領域に接着剤塗布領域を設けてもよい。
【００７８】
また、外側側面部１６８ｂは、内側側面部１６８ａの上側仕切り本体部１６６とは反対側の辺部から折れ線Ｃ１９（第９折れ線）を介して連設されていて、略方形状を呈している。その左右方向（図１９）の長さ（折れ線Ｃ１９と折れ線Ｃ２０間の左右方向の長さ）Ｂ１６は右側面部１２８の左右方向の長さＡ１４よりも小さく形成され、具体的には、右側面部１２８の左右方向の長さＡ１４の略２／３（丁度２／３としてもよい）の長さに形成されている。なお、内側側面部１６８ａと外側側面部１６８ｂの境界位置には、正面側の端部から前後方向にスリット状の切欠部２０４が形成されるとともに、背面側の端部から前後方向にスリット状の切欠部２０６が形成されて、外側側面部１６８ｂと内側側面部１６８ａ間の折れ線Ｃ１９を折曲しやすくしている。また、外側側面部１６８ｂの正面側の辺部からは前後方向にスリット状の切欠部２０８が形成されていて、本体部１０６を組み立てる際に、外側側面部１６８ｂの正面側の領域の動きの自由度を与えている。
【００７９】
また、下側仕切り本体部構成部１６４ｂは、外側側面部１６８ｂの内側側面部１６８ａとは反対側の辺部から折れ線Ｃ２０（第１０折れ線）を介して連設され、略方形状を呈している。また、下側仕切り本体部構成部１６４ｂの左右方向の長さ（折れ線Ｃ２０と下側仕切り本体部構成部１６４ｂの折れ線Ｃ２０とは反対側の端部間の左右方向の長さ）Ｂ１７は、下側仕切り本体部構成部１６４ａと接着可能な長さに形成されていて、長さＢ１７と長さＢ１１の合計は、上側仕切り本体部１６６の左右方向の長さＢ１４よりも大きく形成されている。つまり、Ｂ１１＋Ｂ１７＞Ｂ１４となっている。また、製造過程において、下側仕切り本体部構成部１６４ｂが右側面部１２８から突出して下側仕切り本体部構成部１６４ｂに接着剤塗布領域を確保するために、長さＢ１７は、右側面部１２８の左右方向の長さＡ１４から外側側面部１６８ｂの左右方向の長さＢ１６を減じた長さよりも長く形成されており、すなわち、長さＢ１６と長さＢ１７の和が長さＡ１４よりも大きくなっている。つまり、Ｂ１６＋Ｂ１７＞Ａ１４となっている。この下側仕切り本体部構成部１６４ｂの上面側（展開状態では、内側側面部１６２ｂの接着剤塗布領域Ｎ１１や、内側側面部１６８ａの接着剤塗布領域Ｎ１２とは反対側の面）の接着剤塗布領域Ｎ１３には、製造時に糊付けされる。なお、下側仕切り本体部構成部１６４ｂと外側側面部１６８ｂの境界位置の外側側面部１６８ｂ側には、突出片部１８０の突出部１８０ａが嵌合する開口部２１０が形成され、さらに、突出片部１５９ａの突出部が嵌合するためのコ字状の切欠部２１２が形成されている。
【００８０】
なお、外側側面部１６２ａと、内側側面部１６２ｂと、下側仕切り本体部構成部１６４ａと、上側仕切り本体部１６６と、内側側面部１６８ａと、外側側面部１６８ｂと、下側仕切り本体部構成部１６４ｂの前後方向（図１９においては、上下方向）の長さは略同一に形成され、その長さは、左側面部１２２、底面部１２４、上面部１２６、右側面部１２８の前後方向の長さよりも短く形成されている。
【００８１】
また、外側側面部１６２ａの左右方向の長さＢ１３が左側面部１２２の左右方向の長さＡ１２の略２／３の長さに形成され、内側側面部１６８ａの左右方向の長さＢ１５が右側面部１２８の左右方向の長さＡ１４の略１／３の長さに形成され、左側面部１２２の左右方向の長さＡ１２と右側面部１２８の左右方向の長さＡ１３とは、略同一に形成されているので、外側構成部１１０における左側面部１２２と底面部１２４間の折れ線Ｃ１２と上面部１２６と右側面部１２８間の折れ線Ｃ１４との間の長さ（長さＡ１２＋長さＡ１３）α２と、仕切り部１６０における外側側面部１６２ａと内側側面部１６２ｂ間の折れ線Ｃ１６と内側側面部１６８ａと外側側面部１６８ｂ間の折れ線Ｃ１９との間の長さ（長さＢ１３＋長さＢ１４＋長さＢ１５）β２とは、略同一に形成されている。
【００８２】
仕切り部１６０において、内側側面部１６２ｂは、外側側面部１６２ａの内側に折り返した状態で外側側面部１６２ａの内側に接着され、内側側面部１６８ａは、外側側面部１６８ｂの内側に折り返した状態で外側側面部１６８ｂの内側に接着され、下側仕切り本体部構成部１６４ａの先端側（内側側面部１６２ｂとは反対側）が、下側仕切り本体部構成部１６４ｂの先端側（外側側面部１６８ｂ側とは反対側）の下面側に接着されている。また、外側側面部１６２ａの外側が、左側面部１２２の内側に接着され、外側側面部１６８ｂの外側が右側面部１２８の内側に接着されている。その際、外側側面部１６２ａと内側側面部１６２ｂ間の折れ線Ｃ１６（第６折れ線）が左側面部１２２と底面部１２４間の折れ線Ｃ１２（第２折れ線）に隣接した状態で外側側面部１６２ａが左側面部１２２に接着され（つまり、側面部１６２の底面側の端部は、左側面部１２２の底面側の端部と略一致している）、また、外側側面部１６８ｂと内側側面部１６８ａ間の折れ線Ｃ１９（第９折れ線）が右側面部１２８と上面部１２６間の折れ線Ｃ１４（第４折れ線）に隣接した状態で外側側面部１６８ｂが右側面部１２８に接着されている（つまり、側面部１６８の上面側の端部は、右側面部１２８の上面側の端部と略一致している）。
【００８３】
また、帯状部１７０は、下側仕切り本体部構成部１６４ａの正面側の辺部（図１９では、上辺）から折れ線を介して連設され、下側仕切り本体部構成部１６４ａの正面側の辺部に沿って帯状を呈している。また、突出片部１７２は、帯状部１７０から折れ線を介して連設され、略方形状を呈し、先端の内側側面部１６２ｂ側の角部には、突出片部１５９ｂの突出部が嵌合するための切欠きが形成されている。
【００８４】
また、帯状部１７４は、上側仕切り本体部１６６の正面側の辺部（図１９では、上辺）から折れ線を介して連設され、上側仕切り本体部１６６の正面側の辺部に沿って帯状を呈している。また、突出片部１７６は、帯状部１７４から折れ線を介して連設され、略方形状を呈し、先端の外側側面部１６２ａ側の角部には、突出片部１５３ｂの突出部が嵌合するための切欠きが形成され、また、先端の内側側面部１６８ａ側の角部には、突出片部１５９ｂの突出部が嵌合するための切欠きが形成されている。
【００８５】
また、帯状部１７８は、下側仕切り本体部構成部１６４ｂの正面側の辺部（図１９では、上辺）から折れ線を介して連設され、下側仕切り本体部構成部１６４ｂの正面側の辺部に沿って帯状を呈している。また、突出片部１８０は、帯状部１７８から折れ線を介して連設され、略方形状を呈し、先端の外側側面部１６８ｂ側の角部には、突出片部１５３ｂの突出部が嵌合するための切欠きが形成されている。
【００８６】
次に、引出し部３００は、図１４に示すように、底面部３１０と、底面部３１０の正面側の辺部から立設した正面部３２０と、底面部３１０の背面側の辺部から立設した背面部３４０と、底面部３１０の右側面側の辺部から立設した右側面部３５０と、底面部３１０の左側面側の辺部から立設した左側面部３６０とを有し、全体にトレー状を呈している。引出し部３００の展開状態は、図２０に示すように構成される。
【００８７】
ここで、底面部３１０は、方形状の板状を呈し、本体部１０６の仕切り部１６０により区画された空間内に収納可能に形成され、その左右方向の幅は、本体部１０６内に収納可能なように、本体部１０６の上面部１２６の左右方向の幅Ａ１３や底面部１２４の左右方向の幅Ａ１１よりも小さく形成され、その前後方向（図２０では、上下方向の幅）の幅は、上面部１２６や底面部１２４の前後方向の幅よりも小さく形成されている。
【００８８】
また、正面部３２０は、底面部３１０の正面側の辺部から折れ線を介して連設された前側正面部３２２と、前側正面部３２２の底面部３１０とは反対側の辺部から折れ線を介して連設された帯状部３２４と、帯状部３２４の前側正面部３２２とは反対側の辺部から折れ線を介して連設された後側正面部３２６と、後側正面部３２６の帯状部３２４側とは反対側の辺部から折れ線を介して連設されたフラップ部３２８と、凹部形成片部３３０とを有している。前側正面部３２２と帯状部３２４と後側正面部３２６とフラップ部３２８と凹部形成片部３３０は全体に１つの方形状を呈し、凹部形成片部３３０は、前側正面部３２２と帯状部３２４と後側正面部３２６を構成する片部の中央領域に一対の半楕円形状の切込み３２０ａ、３２０ｂを略対称に形成し、該一対の切込み３２０ａ、３２０ｂと、一対の切込み３２０ａ、３２０ｂの端部を同士を結んだ折れ線に囲まれて形成されている。
【００８９】
前側正面部３２２は、方形状（長方形状）の上辺側に切欠部（一対の切込み３２０ａ、３２０ｂの一部と一対の切込み３２０ａ、３２０ｂの端部を結ぶ折れ線により形成された切込み）が形成された形状を呈している。
【００９０】
また、帯状部３２４は、前側正面部３２２の上辺から折れ線を介して連設されていて、該上辺に沿って帯状を呈している。
【００９１】
また、後側正面部３２６は、前側正面部３２２と対称に形成され、方形状（長方形状）の上辺側に切欠部（一対の切込み３２０ａ、３２０ｂの一部と一対の切込み３２０ａ、３２０ｂの端部を結ぶ折れ線により形成された切込み）が形成された形状を呈している。また、フラップ部３２８は、帯状を呈している。なお、前側正面部３２２と後側正面部３２６の幅（組立て状態での高さ方向の幅）は、本体部１０６の仕切り部１６０により区画された空間内に収納可能に形成され、少なくとも右側面部１２８の左右方向（図１９）の長さＡ１４や左側面部１２２の左右方向（図１９）の長さＡ１２の１／３よりも短く形成されている。
【００９２】
また、背面部３４０は、底面部３１０の背面側の辺部から折れ線を介して連設された後側背面部３４２と、後側背面部３４２の底面部３１０とは反対側の辺部から折れ線を介して連設された帯状部３４４と、帯状部３４４の後側背面部３４２とは反対側の辺部から折れ線を介して連設された前側背面部３４６と、前側背面部３４６の帯状部３４４側とは反対側の辺部から折れ線を介して連設されたフラップ部３４８とを有し、後側背面部３４２と帯状部３４４と前側背面部３４６とフラップ部３４８とは全体に１つの方形状を呈している。後側背面部３４２と帯状部３４４と前側背面部３４６とフラップ部３４８は、それぞれ方形状を呈し、後側背面部３４２と前側背面部３４６は、ともに長方形の同大同形状に形成され、帯状部３４４とフラップ部３４８は帯状に形成されている。なお、後側背面部３４２と前側背面部３４６の幅（組立て状態での高さ方向の幅）は、前側正面部３２２や後側正面部３２６の幅（組立て状態での高さ方向の幅）よりも小さく形成されている。
【００９３】
また、右側面部３５０は、底面部３１０の右側面側の辺部から折れ線を介して連設され、長方形状の一部を斜めに欠切した形状を呈している。つまり、右側面部３５０の上辺（組立て状態の上辺）において、前後方向の略中央から背面側に向けて直線状に下方に傾斜している。この右側面部３５０の正面側の幅（高さ方向の幅）は、前側正面部３２２や後側正面部３２６の幅（高さ方向の幅）と略同一であり、右側面部３５０の背面側の幅（高さ方向の幅）は、後側背面部３４２や前側背面部３４６の幅（高さ方向の幅）と略同一である。また、右側面部３５０の正面側の辺部と背面側の辺部からは略方形状のフラップ部３５２、３５４が折れ線を介して連設されている。
【００９４】
また、左側面部３６０は、底面部３１０の左側面側の辺部から折れ線を介して連設され、長方形状の一部を斜めに欠切した形状を呈している。つまり、左側面部３６０は、右側面部３５０と対称に形成されている。また、左側面部３６０の正面側の辺部と背面側の辺部からは略方形状のフラップ部３６２、３６４が折れ線を介して連設されている。
【００９５】
引出し部３００の組立て状態においては、前側正面部３２２、後側正面部３２６、後側背面部３４２、前側背面部３４６、右側面部３５０、左側面部３６０、フラップ部３５２、３５４，３６２、３６４は、底面部３１０に対して直角となり、フラップ部３２８、３４８は、底面部３１０の上面と平行で底面部３１０に接した状態となる。フラップ部３５２、３６２は、前側正面部３２２と後側正面部３２６とに挟まれた状態となり、フラップ部３５４、３６４は、後側背面部３４２と前側背面部３４６とに挟まれた状態となる。
【００９６】
上記構成の引出しボックス１０５の製造方法について図２１〜図２３を使用して説明する。なお、図１９、図２１〜図２３において点線のハッチングは平面側からは見えない裏面側に領域が存在することを示している。
【００９７】
まず、本体部１０６の製造方法について説明する。図１８に示す展開状態の外側構成部１１０と、図１９に示す展開状態の仕切り部１６０を製造する。なお、折れ線箇所には、予め罫線を形成しておくことが好ましい。
【００９８】
次に、予め外側構成部１１０におけるホットメルト糊塗布領域Ｍ１１、Ｍ１２にホットメルト糊を塗布しておく。そして、外側構成部１１０を展開した状態で、かつ、完成時の外側の面が下側となるように配置し、外側構成部１１０の上面に、仕切り部１６０を展開した状態で、かつ、接着剤塗布領域Ｎ１１、Ｎ１２が上側を向くように配置する。その際、図２１に示すように、左右方向においては、仕切り部１６０の折れ線Ｃ１６と外側構成部１１０の折れ線Ｃ１２とが一致し、仕切り部１６０の折れ線Ｃ１９と外側構成部１１０の折れ線Ｃ１４とが一致するようにする。また、上下方向においては、本体部１０６における左側面部１２２と底面部１２４と上面部１２６と右側面部１２８の正面側の辺部（帯状部との境界となる辺部）と、外側側面部１６２ａと内側側面部１６２ｂと下側仕切り本体部構成部１６４ａと上側仕切り本体部１６６と内側側面部１６８ａと外側側面部１６８ｂと下側仕切り本体部構成部１６４ｂの正面側の辺部（帯状部との境界となる辺部）とが一致するようにする。そして、ホットメルト糊が冷却して固化する前にホットメルト糊塗布領域Ｍ１１、Ｍ１２の領域を押圧して、ホットメルト糊塗布領域Ｍ１１、Ｍ１２の領域で外側構成部１１０と仕切り部１６０とを接着する（接着工程）。つまり、左側面部１２２と外側側面部１６２ａとを接着し、右側面部１２８と外側側面部１６８ｂとを接着する。
【００９９】
その後、内側側面部１６８ａの接着剤塗布領域Ｎ１２（第１接着剤塗布領域）に接着剤を塗布する（第１接着剤塗布工程）。なお、接着剤塗布領域Ｎ１２の代わりに、外側側面部１６８ｂの内側側面部１６８ａと接着する領域に接着剤塗布領域を設けて接着剤を塗布してもよい。
【０１００】
その後、外側構成部１１０における折れ線Ｃ１４よりも外側の部分（つまり、右側面部１２８）を折れ線Ｃ１４を中心に折り返すとともに、仕切り部１６０における折れ線Ｃ１９よりも外側の部分（外側側面部１６８ｂと下側仕切り本体部構成部１６４ｂ）を折れ線Ｃ１９を中心に折り返して（図２２参照）、該折り返した部分の少なくとも接着剤塗布領域Ｎ１２の箇所を上側から押圧する。すると、内側側面部１６８ａと外側側面部１６８ｂとが接着される（第２接着工程）。なお、折れ線Ｃ１４と折れ線Ｃ１９が一致するので、外側構成部１１０と仕切り部１６０とを同時に折り畳むことができる。
【０１０１】
その後、内側側面部１６２ｂの接着剤塗布領域Ｎ１１（第２接着剤塗布領域）と、下側仕切り本体部構成部１６４ｂの接着剤塗布領域Ｎ１３（第３接着剤塗布領域）と、糊代部１３０全体の接着剤塗布領域Ｍ１３（第４接着剤塗布領域）とに接着剤を塗布する（第２接着剤塗布工程）。その際、Ｂ１６＋Ｂ１７＞Ａ１４であるので、接着剤塗布領域Ｎ１３に接着剤を塗布することができ、Ｂ１１≦Ａ１１−Ｂ１２であるので、接着剤塗布領域Ｍ１３への接着剤の塗布に支障となることがない。なお、接着剤塗布領域Ｎ１１の代わりに、外側側面部１６２ａの内側側面部１６２ｂと接着する領域に接着剤塗布領域を設けて接着剤を塗布してもよい。同様に、接着領域Ｎ１３の代わりに、下側仕切り本体部構成部１６４ａの内側側面部１６２ｂとは反対側の端部領域に接着剤塗布領域を設けて接着剤を塗布してもよい。同様に、糊代部１３０の接着剤塗布領域Ｍ１３の代わりに、右側面部１２８における糊代部１３０との接着領域を接着剤塗布領域として接着剤を塗布してもよい。
【０１０２】
その後、外側構成部１１０における折れ線Ｃ１２よりも外側の部分（つまり、底面部１２４と糊代部１３０）を折れ線Ｃ１２を中心に折り返すとともに、仕切り部１６０における折れ線Ｃ１６よりも外側の部分（内側側面部１６２ｂと下側仕切り本体部構成部１６４ａ）を折れ線Ｃ１６を中心に折り返して（図２３参照）、少なくとも各接着剤塗布領域Ｎ１１、Ｎ１３、Ｍ１３の箇所を上側から押圧する。すると、仕切り部１６０において、外側側面部１６２ａと内側側面部１６２ｂとが接着し、下側仕切り本体部構成部１６４ａと下側仕切り本体部構成部１６４ｂとが接着し、外側構成部１１０において、右側面部１２８と糊代部１３０とが接着される（第３接着工程）。なお、折れ線Ｃ１２と折れ線Ｃ１６が一致するので、外側構成部１１０と仕切り部１６０とを同時に折り畳むことができる。
【０１０３】
以上のようにして、本体部１０６が形成されるが、上記のように製造された段階では、図１５に示すように、本体部１０６を平板状に折り畳んだ状態で形成される。
【０１０４】
また、引出し部３００においては、図２０に示す展開状態のブランクを形成しておく。なお、折れ線には予め罫線を形成しておくのが好ましい。
【０１０５】
上記のように製造された引出しボックス１０５の使用方法について説明する。引出しボックス１０５を保管又は運搬する際には、図１５に示すように本体部１０６を折り畳んだ状態としておき、また、引出し部３００はシート状の状態にしておく。本体部１０６を折り畳んだ状態では、底面部１２４と右側面部１２８とが１つの板状を呈するとともに、左側面部１２２と上面部１２６とが１つの板状を呈していて、底面部１２４と右側面部１２８とは、左側面部１２２と上面部１２６と略平行となっている。また、仕切り部１６０においても、外側側面部１６２ａと上側仕切り本体部１６６と内側側面部１６８ａとが１つの板状を呈するとともに、内側側面部１６２ｂと下側仕切り本体部構成部１６４ａと下側仕切り本体部構成部１６４ｂと外側側面部１６８ｂとが１つの板状を呈していて、全体に平板状に折り畳まれた状態となっている。
【０１０６】
次に、引出しボックス１０５を使用する際には、本体部１０６の外側構成部１１０のスリーブ状部１２０について、隣接する部材が互いに直角となるようにして筒状とし、背面部１４０を組み立てる。背面部１４０の組立てに際しては、片部１４６の外側に片部１４４と片部１４８とを配置させ、さらに、片部１４４、１４８の外側に片部１４２を配置させて片部１４２を内側に押し込むようにする。すると、図１２に示すように、片部１４２〜１４８が組み立てられて背面部１４０が構成される。また、外側構成部１１０において正面側に突出している突出片部１５３ａ、１５３ｂ、１５３ｃ、１５５ａ、１５７ａ、１５９ａ、１５９ｂ、１５９ｃを内側に折り返すとともに、突出片部１７２、１７６、１８０を内側に折り返す。なお、突出片部を折り返す際には、水平方向の突出片部１７２、１７６、１８０を先に折り返した後に残りの突出片部を折り返すのが好ましい。
【０１０７】
以上のように、組み立てられた本体部１０６においては、外側構成部１１０内の収納空間が、下側仕切り本体部１６４と上側仕切り本体部１６６の２つの仕切りにより区画された状態となっている。
【０１０８】
また、引出し部３００を組み立てるに当たっては、前側正面部３２２と後側背面部３４２と右側面部３５０と左側面部３６０を底面部３１０に対して立設させ、その後、フラップ部３５２、３６２を内側に折曲して前側正面部３２２の背面側に配置した状態で、帯状部３２４を背面側に折曲し、後側正面部３２６を帯状部３２４に対して折曲して前側正面部３２２と後側正面部３２６とが互いに平行となり、前側正面部３２２と後側正面部３２６とでフラップ部３５２、３６２を挟むようにする。なお、帯状部３２４と後側正面部３２６とを折曲する際には、凹部形成片部３３０を下方に反転させて、前側正面部３２２と後側正面部３２６間に配置されるようにする。また、フラップ部３２８は、後側正面部３２６に対して折曲して、底面部３１０の上面に平行に接するようにする。
【０１０９】
また、引出し部３００の背面側においても、フラップ部３５４、３６４を内側に折曲して後側背面部３４２の正面側に配置した状態で、帯状部３４４を正面側に折曲し、前側背面部３４６を帯状部３４４に対して折曲して後側背面部３４２と前側背面部３４６とが互いに平行となり、後側背面部３４２と前側背面部３４６とでフラップ部３５４、３６４を挟むようにする。また、フラップ部３４８は、前側背面部３４６に対して折曲して、底面部３１０の上面に平行に接するようにする。以上のようにして、引出し部３００が組み立てられる。
【０１１０】
組み立てられた引出し部３００は、本体部１０６の区画された空間内に収納して使用する。本体部１０６は、下側仕切り本体部１６４と上側仕切り本体部１６６の２つの仕切りにより３つの空間に区画されているので、３つの引出し部３００が収納可能である。
【０１１１】
以上のように、本実施例の引出しボックス１０５の特に本体部１０６の製造においては、外側構成部１１０と仕切り部とを同時に製造することができ、外側構成部の製造工程と仕切り部の製造工程とを別々に設ける必要がない。特に、外側構成部１１０と仕切り部１６０とをともに展開状態にして貼り合わせた後に、所定の接着剤塗布領域に接着剤を塗布して所定の片部を折り返すことにより製造することができ、極めて容易に製造することができる。
【０１１２】
また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。
【０１１３】
なお、上記の説明においては、図２１に示すように、外側構成部１１０の糊代部１３０を平面視で左右方向の左端に配置した状態で製造するものとして説明したが、図２１における外側構成部１１０の表裏を逆にして糊代部１３０を左右方向の右端に配置し、同様に、仕切り部１６０も図２１の状態に対して表裏逆にして、上記と同様に、折れ線Ｃ１２とＣ１５を一致させるとともに折れ線Ｃ１４と折れ線Ｃ１９を一致させて外側構成部１１０の上面に設置して、製造してもよい。
【符号の説明】
【０１１４】
５  ファイルボックス
１０、１１０  外側構成部
２０、１２０  スリーブ状部
２２、６２、３２０  正面部
２４、１２８、３５０  右側面部
２６、１２２、３６０  左側面部
２８、６８、１４０、３４０  背面部
３０、１３０  糊代部
３２、１５２ａ、１５２ｂ、１５２ｃ、１５４ａ、１５６ａ、１５８ａ、１５８ｂ、１５８ｃ、１７０、１７４、１７８、３２４、３４４  帯状部
３４  折返し片部
４０、１２４、３１０  底面部
４２、４４、４６、４８、１４２、１４４、１４６、１４８  片部
６０、１６０  仕切り部
６２ａ  前側正面部
６２ｂ  後側正面部
６４  右側仕切り本体部
６４ａ、６４ｂ  右側仕切り本体部構成部
６６  左側仕切り本体部
６８ａ、３４６  前側背面部
６８ｂ、３４２  後側背面部
１０５  引出しボックス
１０６  本体部
１２６  上面部
１５３ａ、１５３ｂ、１５３ｃ、１５５ａ、１５７ａ、１５９ａ、１５９ｂ、１５９ｃ、１７２、１７６、１８０  突出片部
１６２、１６８  側面部
１６４  下側仕切り本体部
１６６  上側仕切り本体部
１６２ａ、１６８ｂ  外側側面部
１６２ｂ、１６８ａ  内側側面部
１６４ａ  下側仕切り本体部構成部
１６４ｂ  下側仕切り本体部構成部
１６６  上側仕切り本体部
３００  引出し部
Ｍ１、Ｍ２  ホットメルト糊塗布領域
Ｍ３、Ｎ１、Ｎ２、Ｎ３、Ｍ１３、Ｎ１１、Ｎ１２、Ｎ１３  接着剤塗布領域
【図１】
2010247431.tif 000003
【図２】
2010247431.tif 000004
【図３】
2010247431.tif 000005
【図４】
2010247431.tif 000006
【図５】
2010247431.tif 000007
【図６】
2010247431.tif 000008
【図７】
2010247431.tif 000009
【図８】
2010247431.tif 000010
【図９】
2010247431.tif 000011
【図１０】
2010247431.tif 000012
【図１１】
2010247431.tif 000013
【図１２】
2010247431.tif 000014
【図１３】
2010247431.tif 000015
【図１４】
2010247431.tif 000016
【図１５】
2010247431.tif 000017
【図１６】
2010247431.tif 000018
【図１７】
2010247431.tif 000019
【図１８】
2010247431.tif 000020
【図１９】
2010247431.tif 000021
【図２０】
2010247431.tif 000022
【図２１】
2010247431.tif 000023
【図２２】
2010247431.tif 000024
【図２３】
2010247431.tif 000025